(57)【特許請求の範囲】
【請求項１】
それぞれベースプレートと、該ベースプレートの長手方向両端に起立した一対の起立ボルトと、該起立ボルトに螺装したナットによって一対の起立ボルト２間に架設配置した支持プレートと、該支持プレート上に配置した上下位一対にして下位バンド片に排水ヘッダーに並列接続した横枝管を載置し開閉自在の上位バンド片によって該横枝管を被嵌する支持バンドを備えるとともに該支持バンドの数を３つ、２つ及び単一とすることによって支持バンドの数が異なる３種類とした横枝管支持用の支持金具を用いて横枝管を支持した横枝管支持構造であって、上記３種類の支持金具における支持プレート上の各支持バンドの配置を、上記３つの支持バンドを配置した支持金具においてその中央の支持バンドを水平方向角度自在、両側一対の支持バンドを水平方向角度及び長手方向スライド自在に、上記２つの支持バンドを配置した支持金具においてその双方の支持バンドを水平方向角度及び長手方向スライド自在に、上記単一の支持バンドを配置した支持金具において該支持バンドを水平方向角度自在にそれぞれ形成し、上記３つの支持バンド及び／又は２つと単一の支持バンドの支持金具を併用することによって、上記排水ヘッダーに並列接続した横枝管の該排水ヘッダー近傍における支持金具直交配置による横枝管支持、エルボで接続したコーナー部の該エルボ近傍における支持金具傾斜交差配置によるエルボ荷重を含めた横枝管荷重の安定した横枝管支持及びエルボを介して屈曲した横枝管における並列ピッチ拡大に対応した支持金具傾斜交差配置による支持金具端部突出幅を減少した横枝管支持を自在としてなることを特徴とする横枝管支持構造。
【請求項２】
上記支持バンドの水平方向角度自在の配置を、支持バンドの下位バンド片に下向きボルトを配置し、該下向きボルトを支持プレートに挿通し該支持プレート下面側からのナット締着で該支持バンドを支持プレートに固定し、該ナットの緩和による支持バンドの水平方向回動を許容することによって行ってなることを特徴とする請求項１に記載の横枝管支持構造。
【請求項３】
上記支持バンドの水平方向角度自在及び長手方向スライド自在の配置を、上記支持バンドの下位バンド片に下向きボルトを配置し、該下向きボルトを支持プレートに透設した支持プレート長手方向に向けた長孔に挿通し該支持プレート下面側からのナット締着で該支持バンドを支持プレートに固定し、該ナットの緩和による支持バンドの水平方向回動を許容することによって行ってなることを特徴とする請求項２に記載の横枝管支持構造。
【発明の詳細な説明】
【技術分野】
【０００１】
本発明は、排水ヘッダーに並列接続した横枝管をコンクリートスラブ上に支持するに用いる横枝管支持構造に関する。
【背景技術】
【０００２】
この種の横枝管支持構造に用いる横枝管支持金具として、本出願人は、ベースプレートと、該ベースプレートの長手方向両端に起立した一対の起立ボルトと、該起立ボルトに螺装したナットによって一対の起立ボルト間に架設配置した支持プレートと、該支持プレート上に配置した上下位一対にして下位バンド片に横枝管を載置し開閉自在の上位バンド片によって該横枝管を被嵌する支持バンドとを備え、横枝管に直交して配置して該横枝管を支持するようにしたものを提案済みであり、このとき該横枝管支持金具は、その支持バンドを上記支持プレート上で該支持プレート長手方向にスライド自在としたものとされている。
【０００３】
【特許文献１】特開２００５−１９４８３５号公報
【発明の開示】
【発明が解決しようとする課題】
【０００４】
この場合、起立ボルトに対する支持プレートの高さを調整することによって、排水ヘッダーに並列接続した横枝管の距離に応じて水勾配を付するための横枝管傾斜に対応し、また排水ヘッダーに接続した横枝管のピッチは一般に１２ｃｍの規格ピッチとされるところ、エルボで接続することによって屈曲するに際して横枝管のピッチを、床形成に使用する床支持脚との衝接を避け、横枝管の配管工事の作業性を向上する目的で、例えば１５ｃｍとすることが多いが、上記支持バンドを支持プレート上でスライドすることによってピッチ変化にも対応して、横枝管の直線部及びコーナー部における支持を、その高さ及びピッチの如何を問わずに簡単な作業によって効率よく行うことが可能となる。
【０００５】
しかし乍らこの場合、横枝管支持金具における支持プレートの長さは、その両端部に支持バンドをスライドしても起立ボルトに衝接しないようにした余裕幅を配置した長さとなり、またベースプレートの長さは、該支持プレートの長さ乃至該支持プレートを支持する起立ボルト位置からコンクリートスラブにアンカーで固定するための固定幅を配置した長さとなることによって、横枝管支持金具の長さが横枝管の並列合計幅より相当程度長くなる傾向を避けられず、このとき該横枝管支持金具は、上記排水ヘッダーに並列接続した横枝管に対して直交するように配置して該横枝管の支持を行うように使用するから、該横枝管支持金具を用いた横枝管の支持にあっては、横枝管の幅方向端部に横枝管支持金具の長手方向端部、特にベースプレートや支持プレートの端部が比較的大きく突出することを避け得ず、多数の配管等が配置されるコンクリートスラブに該突出部分が存在することによって、例えば作業者がベースプレートのアンカーに躓いたり、支持プレート端部の起立ボルトにズボンの裾を引っ掛けて転倒したりする危険を招き易いという問題点が残されている。
【０００６】
またこの場合、横枝管支持金具は、横枝管に直交して配置して横枝管を支持するものとされるから、例えば図１１に示すように、先行する横枝管支持金具を用いて並列接続した複数の横枝管におけるコーナー部を連結した場合に、該コーナー部において内側に位置する横枝管にあっては、横枝管支持金具の支持がコーナー部においてなされるために、エルボを含めた荷重を支持することができるが、中間乃至外側の支持はコーナー部から離れた直線部でなされるために、該内側以外の中間乃至外側の横枝管には更にこれを支持する横枝管支持金具を設置する必要を生じることになり、結局コーナー部における横枝管支持金具による横枝管の支持を安定且つ確実に行うためには、該横枝管支持金具の数が増加するという問題点が残されている。
【０００７】
本発明はかかる事情に鑑みてなされたもので、その解決課題とするところは、上記排水ヘッダーに並列接続した複数の横枝管の並列合計幅に対する突出幅を可及的に減少した設置使用を可能とするとともにコーナー部に使用することによって上記先行する横枝管支持金具より少ない数で横枝管を安定且つ確実に支持し得るようにした横枝管支持構造を提供するにある。
【課題を解決するための手段】
【０００８】
上記課題に沿って本発明は、支持バンドを３つ、２つ及び単一として支持バンドの数が異なる３種類の支持金具を形成するとともにこの３種類のうちの３つの支持バンドの中央を支持プレートに対して水平方向角度自在に、両側一対を水平方向角度自在とスライド自在に、２つの支持バンドの双方を同じく水平方向角度自在とスライド自在に、単一の支持バンドを水平方向角度自在に形成し、該３つの支持バンド及び／又は２つと単一の支持バンドの支持金具を併用して、排水ヘッダー近傍での支持金具直交配置、エルボ接続のコーナー部エルボ近傍で支持金具傾斜交差配置、エルボを介して屈曲した横枝管の並列ピッチ拡大に対応した支持金具傾斜交差配置することによって、横枝管から該横枝管支持金具の端部が突出するのを可及的に減少して支持金具突出による作業員の躓きや転倒の危険を解消するとともにコーナー部における該コーナー部近傍の横枝管支持を安定して行なうようにして内外中間乃至外側の横枝管支持の支持金具の数を可及的に減少し得るようにしたものであって、即ち請求項１に記載の発明を、それぞれベースプレートと、該ベースプレートの長手方向両端に起立した一対の起立ボルトと、該起立ボルトに螺装したナットによって一対の起立ボルト２間に架設配置した支持プレートと、該支持プレート上に配置した上下位一対にして下位バンド片に排水ヘッダーに並列接続した横枝管を載置し開閉自在の上位バンド片によって該横枝管を被嵌する支持バンドを備えるとともに該支持バンドの数を３つ、２つ及び単一とすることによって支持バンドの数が異なる３種類とした横枝管支持用の支持金具を用いて横枝管を支持した横枝管支持構造であって、上記３種類の支持金具における支持プレート上の各支持バンドの配置を、上記３つの支持バンドを配置した支持金具においてその中央の支持バンドを水平方向角度自在、両側一対の支持バンドを水平方向角度及び長手方向スライド自在に、上記２つの支持バンドを配置した支持金具においてその双方の支持バンドを水平方向角度及び長手方向スライド自在に、上記単一の支持バンドを配置した支持金具において該支持バンドを水平方向角度自在にそれぞれ形成し、上記３つの支持バンド及び／又は２つと単一の支持バンドの支持金具を併用することによって、上記排水ヘッダーに並列接続した横枝管の該排水ヘッダー近傍における支持金具直交配置による横枝管支持、エルボで接続したコーナー部の該エルボ近傍における支持金具傾斜交差配置によるエルボ荷重を含めた横枝管荷重の安定した横枝管支持及びエルボを介して屈曲した横枝管における並列ピッチ拡大に対応した支持金具傾斜交差配置による支持金具端部突出幅を減少した横枝管支持を自在としてなることを特徴とする横枝管支持構造としたものである。
【０００９】
請求項２に記載の発明は、上記に加えて、支持バンドの支持プレートに対する水平方向角度自在の配置を、支持金具による横枝管の安定且つ確実な支持を損なうことなく、可及的簡易な構造にして確実に確保し得るものとするように、これを、上記支持バンドの水平方向角度自在の配置を、支持バンドの下位バンド片に下向きボルトを配置し、該下向きボルトを支持プレートに挿通し該支持プレート下面側からのナット締着で該支持バンドを支持プレートに固定し、該ナットの緩和による支持バンドの水平方向回動を許容することによって行ってなることを特徴とする請求項１に記載の横枝管支持構造としたものである。
【００１０】
請求項３に記載の発明は、同じく上記に加えて、支持バンドを水平角度自在及び長手方向スライド自在の配置を、支持金具による横枝管の安定且つ確実な支持を損なうことなく、可及的簡易な構造にして確実に確保し得るものとするように、これを、上記支持バンドの水平方向角度自在及び長手方向スライド自在の配置を、上記支持バンドの下位バンド片に下向きボルトを配置し、該下向きボルトを支持プレートに透設した支持プレート長手方向に向けた長孔に挿通し該支持プレート下面側からのナット締着で該支持バンドを支持プレートに固定し、該ナットの緩和による支持バンドの水平方向回動を許容することによって行ってなることを特徴とする請求項２に記載の横枝管支持構造としたものである。
【００１１】
本発明はこれらをそれぞれ発明の要旨として上記課題解決の手段としたものである。
【発明の効果】
【００１２】
本発明は以上のとおりに構成したから、請求項１に記載の発明は、支持バンドを３つ、２つ及び単一として支持バンドの数が異なる３種類の支持金具を形成するとともにこの３種類のうちの３つの支持バンドの中央を支持プレートに対して水平方向角度自在に、両側一対を水平方向角度自在とスライド自在に、２つの支持バンドの双方を同じく水平方向角度自在とスライド自在に、単一の支持バンドを水平方向角度自在に形成し、該３つの支持バンド及び／又は２つと単一の支持バンドの支持金具を併用して、排水ヘッダー近傍での支持金具直交配置、エルボ接続のコーナー部エルボ近傍で支持金具傾斜交差配置、エルボを介して屈曲した横枝管の並列ピッチ拡大に対応した支持金具傾斜交差配置することによって、横枝管から該横枝管支持金具の端部が突出するのを可及的に減少して支持金具突出による作業員の躓きや転倒の危険を解消するとともにコーナー部における該コーナー部近傍の横枝管支持を安定して行なうようにして内外中間乃至外側の横枝管支持の支持金具の数を可及的に減少し得るようにした横枝管支持金具を提供することができる。
【００１３】
請求項２に記載の発明は、上記に加えて、上記に加えて、支持バンドの支持プレートに対する水平方向角度自在の配置を、支持金具による横枝管の安定且つ確実な支持を損なうことなく、可及的簡易な構造にして確実に確保し得るものとすることができる。
【００１４】
請求項３に記載の発明は、同じく上記に加えて、支持バンドを水平角度自在及び長手法苦スライド自在の配置を、横枝管支持金具による横枝管の安定且つ確実な支持を損なうことなく、可及的簡易な構造にして確実に確保し得るものとすることができる。
【発明を実施するための最良の形態】
【００１５】
以下図面の例に従って本発明を更に具体的に説明すれば、Ａ１、Ａ２、Ａ３は横枝管支持用の支持金具であって、これら支持金具Ａ１、Ａ２及びＡ３は、それぞれベースプレート１と、該ベースプレート１の長手方向両端に起立した一対の起立ボルト２と、該起立ボルト２に螺装したナット３１によって一対の起立ボルト２間に架設配置した支持プレート３と、該支持プレート３上に配置した上下位一対にして下位バンド片４１に排水ヘッダー６に並列接続した横枝管７を載置し開閉自在の上位バンド片４２によって該横枝管７を被嵌する支持バンド４を備えるとともに該支持バンド４の数を３つ、２つ及び単一とすることによって支持バンド４の数が異なる３種類としたものとしてあり、このとき、上記３種類の支持金具Ａ１、Ａ２及びＡ３における支持プレート３上の各支持バンド４の配置を、上記３つの支持バンド４を配置した支持金具Ａ１においてその中央の支持バンド４を水平方向角度自在、両側一対の支持バンド４を水平方向角度及び長手方向スライド自在に、上記２つの支持バンド４を配置した支持金具Ａ２においてその双方の支持バンド４を水平方向角度及び長手方向スライド自在に、上記単一の支持バンド４を配置した支持金具Ａ３において該支持バンド４を水平方向角度自在にそれぞれ形成したものとしてあり、該３種類とした横枝管支持用の支持金具Ａ１、Ａ２、Ａ３は、これらを用いて、後述のように横枝管７を支持する横枝管支持構造をなすものとしてある。
【００１６】
ベースプレート１は、その長さを支持金具Ａ１において５０ｃｍ程度、支持金具Ａ２において３５ｃｍ程度、支持金具Ａ３において２３ｃｍ程度とし、幅をそれぞれ数ｃｍ程度とした厚肉鋼板製のプレートによるものとしてあり、その長手方向両端、必要に応じて更に中間位置にアンカー用の透孔１１を透設し、また該両端の透孔１１の内側表面に起立ボルト２螺装用のナット１２を溶着固定したものとしてある。
【００１７】
一対の起立ボルト２は、その下端を上記ベースプレート１の上記ナット１２に螺装することによって該ベースプレート１の表面に上向きに起立してあり、このとき該一対の起立ボルト２は、例えばその長さをそれぞれ１２〜１３ｃｍ程度としてある。
【００１８】
支持プレート３は、その長さを支持金具Ａ１において４０ｃｍ程度、支持金具Ａ２において３０ｃｍ程度、支持金具Ａ３において１８ｃｍ程度とした、例えば断面Ｌ字状の鋼製プレートを用い、その水平面の両端に透設したボルト透孔に上記起立ボルト２を挿通するとともに該起立ボルト２に螺装した各上下に一対のナット３１によってその上記ボルト透孔の縁部を挟持することによって該起立ボルト２の上記１２〜１３ｃｍ程度における任意の高さで該一対の起立ボルト２に対して架設配置したものとしてある。
【００１９】
支持プレート３に設置した支持バンド４は、上下位一対にして半円のバンド片４１、４２を、その一端側の側面においてヒンジ４３連結することによって下位バンド片４１に対して上位バンド片４２を開閉自在とし、上位バンド片４２を閉鎖することによって円弧をなすとともに該円弧の内径を横枝管７の外径に合せた各支持金具Ａ１、Ａ２及びＡ３に共通径のものとしてあり、下位バンド片４１に横枝管７を載置して上位バンド片４２を閉鎖することによって該横枝管７を挟持状に被嵌支持するようにしてある。このとき下位バンド片４１の自由端に下位締着片４４を水平に突設するとともにその面内にボルト透孔を透設し、例えば該下位締着片４１の下面にナット４５を溶着することによって上記ボルト透孔の下面に雌ネジを形成する一方、上位バンド片４２の自由端に同じく上位締着片４６を水平に突設し、上下位の締着片４４、４６を重合した状態で、上位締着片４６側から六角ボルト４８を上記雌ネジに螺装することによってこれら締着片４４、４６を締着固定自在としてあり、このとき本例にあって上記上位締着片４６の突出長さを下位締着片４４より短寸とするとともに該上位締着片４４の先端に、該先端を開口した半円乃至Ｕ字状等の先端凹部４７を形成するとともに該先端凹部４７の開口幅を六角ボルト４８の頭の側面寸法より広くすることによって、該先端凹部４７が六角ボルト４８の頭を通過し得るようにしてあり、これによって予めナット４５に六角ボルト４８を螺装して該六角ボルト４８を下位締着片４４に起立した状態で、下位バンド片４１に横枝管７を載置した後に、先端凹部４７に六角ボルト４８の頭を受入れるように上位バンド片４２を閉鎖し、六角ボルト４８の締着を行うことによって、支持バンド４による横枝管７の被嵌支持を可及的容易になし得るようにしてある。
【００２０】
本例にあって上記支持バンド４は、これを、支持プレート３上で水平方向角度自在に配置したものと、該支持バンド４を、上記支持プレート３上でその長手方向にスライド自在に配置することによって上記水平方向角度と長手方向スライドとの双方を自在としたものとの２種類としてあり、上記支持バンド４の水平方向角度自在の配置は、これを、上記支持バンド４の下位バンド片４１に下向きボルト５を配置し、該下向きボルト５を支持プレート３に挿通し該支持プレート３下面側からのナット５２締着で該支持バンド４を支持プレート３に固定し、該ナット５２の緩和による支持バンド４の水平方向回動を許容することによって行なったものとしてあり、また上記支持バンドの水平方向角度自在及び長手方向スライド自在の配置は、これを、上記下向きボルト５の支持プレート３への挿通を、該支持プレート３に透設した長孔３３を介して行うようにしてあり、即ち同様に上記支持バンド４の下位バンド片４１に下向きボルト５を配置し、該下向きボルト５を支持プレート３に一連又は断続して透設した支持プレート３長手方向に向けた長孔３３に挿通し該支持プレート３下面側からのナット５２締着で該支持バンド４を支持プレート３に固定し、該ナット５２の緩和による支持バンド４の水平方向回動を許容することによって行なったものとしてある。
【００２１】
本例の支持バンド４は、上記のとおり、該支持バンド４を３つ備えた支持金具Ａ１にあってその中央を水平方向角度自在とし、両側一対を水平方向角度と長手方向スライドの双方を自在とし、該支持バンド４を２つ備えた支持金具Ａ２にあってその双方を水平方向角度と長手方向スライドを自在とし、また該支持バンド４を単一に備えた支持金具Ａ３にあっては該支持バンドを水平方向角度自在としたものとしてあり、このとき本例の支持バンド４を設置した支持プレート３には、その断面Ｌ字状の鋼製プレートにおける水平面に上記支持バンド４の数、本例にあっては３つ、２つ及び単一の支持バンド４の数に応じて、例えば９ｍｍ径の下向きボルト５を挿通する透孔３２及び／又は断続する３つの長孔３３を透設し該透孔３２又は長孔３３に上記支持バンド４の下向きボルト５を挿通して支持バンド４の上記ナット５２による締着を行うようにしてある。本例にあって上記長孔３３は、その配置ピッチを１２ｃｍ、長さを４ｃｍとし、上記９ｍｍ径の下向きボルト５、即ち支持ボルト４を支持プレート３の長手方向に３ｃｍスライドし得るようにしてあり、従って該長孔３３を設けることによってスライド自在とした支持バンド４は、排水ヘッダー６に接続した規格の並列ピッチ１２ｃｍに応じた横枝管７の支持を可能とする一方、Ｌ字状のエルボ７１を介して横枝管７を屈曲するについて上記１２ｃｍのピッチとする場合はもとより、例えば該１２ｃｍの並列ピッチとすることによる床形成に際して使用する図示省略の床支持脚との衝接を避けたり、並列ピッチを拡げることによって作業性を向上するために、例えば屈曲後の並列ピッチを最大１５ｃｍとする場合を含めて、現場における並列ピッチに対応した横枝管７の支持を可能とするようにしてある。
【００２２】
一方上記透孔３２及び／又は長孔３３に挿通する下向きボルト５は、例えば支持バンド４の下位バンド片４１の長手方向中央下端にナット５１を溶着し、該ナット５１に螺装することによって下位バンド片４１に一体的に設置してあり、該下向きボルト５を有する支持バンド４の上記支持プレート３への設置は、上記下向きボルト５を螺装したナット５１と支持プレート３間にワッシャーを介設し、該下向きボルト５を上記透孔３２及び／又は長孔３３に挿通し、該下向きボルト５に支持プレート３の下面側から同じくワッシャーを介してナット５２を締着することによって、支持プレート３に支持バンド４を載置固定するようにしてある。
【００２３】
このように３種類とした横枝管支持用の支持金具Ａ１、Ａ２、Ａ３を用いた横枝管支持構造は、上記３つの支持バンド４及び／又は２つと単一の支持バンド４の支持金具Ａ１、Ａ２、Ａ３を併用することによって、上記排水ヘッダー６に並列接続した横枝管の該排水ヘッダー６近傍における支持金具直交配置による横枝管支持、エルボ７１で接続したコーナー部の該エルボ７１近傍における支持金具傾斜交差配置によるエルボ７１荷重を含めた横枝管７荷重の安定した横枝管支持及びエルボ７１を介して屈曲した横枝管７における並列ピッチ拡大に対応した支持金具傾斜交差配置による支持金具端部突出幅を減少した横枝管支持を自在としたものとしてある。
【００２４】
図１０は、支持金具Ａ１を排水ヘッダー６に並列接続した３本の横枝管７に対して傾斜交差配置することによって、支持金具Ａ１の端部の横枝管７からの突出幅を減少した支持金具Ａ１の使用状態を示す平面図であり、このとき該支持金具Ａ１は、これを排水ヘッダー６側の直線部で該横枝管７に直交配置することによって該横枝管７を支持する一方、コーナー部において該支持金具Ａ１を横枝管７に傾斜交差配置するように、支持プレート３に対して水平方向に回動傾斜することによってその水平方向角度を傾斜した支持バンド４によって該横枝管７を支持し、また屈曲した後の直線部において該支持金具Ａ１をコーナー部におけると同様に横枝管７に傾斜交差配置するように、同じく回動傾斜してその水平方向角度を傾斜した支持バンド４によって横枝管７を支持したものとしてある。従って支持金具Ａ１の端部の横枝管７からの突出幅を減少して、該端部の突出による作業者が躓くことによる危険や、作業者が起立ボルト２にズボンの裾を引掛けて転倒する危険を可及的に解消することができる。
【００２５】
また、コーナー部において上記先行する支持金具Ｂを横枝管７に直交配置して支持する場合に、図１１に示すように、内外の内側に位置する横枝管７に対して内外中間乃至外側の横枝管７がコーナー部から離隔した位置で支持される結果、エルボ７１を含めた横枝管７のコーナー部の荷重を支えて安定且つ確実な支持を行うために該内外中間乃至外側の横枝管７のコーナー部に更に他の支持金具Ｂを追加的に設置する必要を生じるところ、本例の上記支持金具Ａ１によるコーナー部の支持は、該支持金具Ａ１によって３本の横枝管７を、そのコーナー部の各エルボ７１近傍で直接且つ同時になし得ることによって、コーナー部における内外中間乃至外側の横枝管７を支持する、例えば図１１の４箇所の支持金具Ｂの設置を不要として、その数を減少することができる。
【００２６】
図１２は、例えば２連の排水ヘッダー６に合計５本の横枝管７を並列接続して、１本の横枝管７を該排水ヘッダー６近傍で屈曲し、２本をその先で屈曲し、更に２本を排水ヘッダー６から並列状態のまま延長するようにした場合の横枝管支持構造を示したもので、該５本の横枝管７は、３本と２本に分けて、３つの支持バンド４を有する支持金具Ａ１を排水ヘッダー６近傍で横枝管７に直交配置し、また２つの支持バンド４を有する支持金具Ａ２を同様に排水ヘッダー６近傍で横枝管７に直交配置してそれぞれ３本と２本の横枝管７を支持する一方、３本の横枝管７のうち排水ヘッダー６近傍で屈曲した１本は、該屈曲した直線部で上記支持バンド４を１つ備えた支持金具Ａ３を該横枝管７に傾斜回動するように配置して該横枝管７を支持し、上記その先で屈曲した横枝管７は、そのコーナー部において上記例と同様に支持金具Ａ２を傾斜交差配置してエルボ７１近傍を支持し、屈曲した直線部で同じく支持金具Ａ２を傾斜交差配置して該横枝管７を支持し、また排水ヘッダー６から並列状態のまま延長した横枝管７は、その直線部分で２つの支持バンド４を有する支持金具Ａ２を傾斜交差配置して該横枝管７を支持したものとしてある。これによって本例の横枝管支持構造にあっても、上記と同様にコーナー部の追加的な支持の必要を解消でき、また突出幅減少により作業者の躓き等の危険を可及的に防止できるようにしてある。
【００２７】
これら各支持金具Ａ１、Ａ２及びＡ３は、例えば現場でベースプレート１、起立ボルト２、支持プレート３及び支持バンド４を予め支持金具としてセットし、それぞれベースプレート１を横枝管７に対して直交配置又は傾斜交差配置するようにコンクリートスラブにアンカー固定するか、ベースプレート１をアンカー固定した後に該ベースプレート１に起立ボルト２、支持プレート３及び支持バンド４をセットした後に、該ベースプレート１に起立した一対の起立ボルト２のナット３１位置を上下調整して支持プレート３の高さ調整を行い、上位バンド片４２を回動開放して支持バンド４の下位バンド片４１に排水ヘッダー６に並列接続した横枝管７を載置した後に上位バンド片４２を回動閉鎖してその上位締着片４６と下位締着片４４とを六角ボルト４８によって締着固定するようにして、各横枝管７を支持すればよい。
【００２８】
図示した例は以上のとおりとしたが、本発明の実施に当って、横枝管支持用の支持金具、そのベースプレート、起立ボルト、支持プレート、支持バンド、排水ヘッダー、横枝管、必要に応じて用いる下向きボルト、該下向きボルトを挿通する透孔、長孔等の各具体的形状、構造、材質、該支持金具を用いた横枝管支持構造、これらに対する付加等は、上記発明の要旨に反しない限り様々の形態のものとすることができる。
【図面の簡単な説明】
【００２９】
【図１】支持金具の正面図である。
【図２】図１の支持金具の側面図である。
【図３】図１の支持金具の平面図である。
【図４】他の例に係る支持金具の正面図である。
【図５】図４の支持金具の側面図である。
【図６】図４の支持金具の平面図である。
【図７】更に他の例に係る支持金具の正面図である。
【図８】図７の支持金具の側面図である。
【図９】図７の支持金具の平面図である。
【図１０】支持金具使用による横枝管支持構造を示す平面図である。
【図１１】先行する支持金具使用による横枝管支持構造を示す平面図である。
【図１２】他の例の支持金具使用による横枝管支持構造状態を示す平面図である。
【符号の説明】
【００３０】
Ａ１、Ａ２、Ａ３  支持金具
Ｂ  先行する支持金具
１  ベースプレート
１１  アンカー用透孔
１２  ボルト起立用ナット
２  起立ボルト
２１  ナット
３  支持プレート
３１  ナット
３２  透孔
３３  長孔
４  支持バンド
４１  下位バンド片
４２  上位バンド片
４３  ヒンジ
４４  下位締着片
４５  ナット
４６  上位締着片
４７  先端凹部
４８  六角ボルト
５  下向きボルト
５１  ナット
５２  ナット
６  排水ヘッダー
７  横枝管
７１  エルボ
【図１】
0004391456.tif 000002
【図２】
0004391456.tif 000003
【図３】
0004391456.tif 000004
【図４】
0004391456.tif 000005
【図５】
0004391456.tif 000006
【図６】
0004391456.tif 000007
【図７】
0004391456.tif 000008
【図８】
0004391456.tif 000009
【図９】
0004391456.tif 000010
【図１０】
0004391456.tif 000011
【図１１】
0004391456.tif 000012
【図１２】
0004391456.tif 000013